【手続補正書】
【提出日】平成17年11月9日(2005.11.9)
【手続補正１】
【補正対象書類名】明細書
【補正対象項目名】特許請求の範囲
【補正方法】変更
【補正の内容】
【特許請求の範囲】
【請求項１】  第一キャリヤーガス流を与え；
前記第一キャリヤーガス流中へ第一有機小分子材料を気化して入れ；
前記第一キャリヤーガス流を装置を通って送り；
前記装置の壁温度を、前記気化した第一有機小分子材料の凝縮を起こさないようにするのに充分な高い温度に維持し；
前記第一キャリヤーガス流を１．３３３×１０−３〜１．３３３×１０２ミリバール（０．００１トール〜１００トール）の圧力で反応室中の基体上に通し；そして
前記基体上に前記第一有機小分子材料を蒸着し、前記基体上に前記第一有機小分子材料を含む第一フィルムを形成する；
ことを含む有機フィルム製造方法。
【請求項２】  更に、一種類以上の気化した第二有機小分子材料を含む第二キャリヤーガス流を与え；
前記第二キャリヤーガス流を第二装置を通って送り；
前記第二装置の壁温度を、前記一種類以上の気化した第二有機小分子材料の凝縮を起こさないようにするのに充分な高い温度に維持し；
前記第二キャリヤーガス流を１．３３３×１０−３〜１．３３３×１０２ミリバール（０．００１トール〜１００トール）の圧力で基体上の第一フィルムに接触させ；そして
前記第一フィルムの上に前記一種類以上の気化した第二有機小分子材料を蒸着して、前記一種類以上の第二有機小分子材料を含む第二フィルムを前記基体上の前記第一フィルムの上に形成する；
ことを含む、請求項１に記載の方法。
【請求項３】  更に、第二有機小分子材料を含む第二キャリヤーガス流を与え；そして
前記第二キャリヤーガス流と第一キャリヤーガス流とを一緒にする；
ことを含み、然も、蒸着が、基体上の第一有機小分子材料と共に、第二有機小分子材料を蒸着することを含み、その結果第一フィルムが、前記第一有機小分子材料及び第二有機小分子材料を含む、請求項１に記載の方法。
【請求項４】  更に、第三有機小分子材料を含む第三キャリヤーガス流を与え；
前記第三キャリヤーガス流を１．３３３×１０−３〜１．３３３×１０２ミリバール（０．００１トール〜１００トール）の圧力で第一フィルム上に通し；そして
前記第一フィルムの上に前記第三有機小分子材料を堆積し、前記第一フィルムの上に前記第三有機小分子材料を含む第二フィルムを形成する；
ことを含む、請求項１〜３のいずれか１項に記載の方法。
【請求項５】  少なくとも一種類のキャリヤーガスの圧力が、１．３３３×１０−１〜１３．３３ミリバール（０．１トール〜１０トール）である、請求項１〜４のいずれか１項に記載の方法。
【請求項６】  キャリヤーガスが、不活性ガスを含む、請求項１〜５のいずれか１項に記載の方法。
【請求項７】  不活性ガスが、窒素、アルゴン、ヘリウム、ネオン、クリプトン、及びキセノンからなる群から選択される、請求項６に記載の方法。
【請求項８】  第一有機小分子材料を、トリス−（８−キノリン）アルミニウム；Ｎ，Ｎ′−ジフェニル−Ｎ，Ｎ′−ビス（３−メチルフェニル）−１，１′−ビスフェニル−４，４′−ジアミン；α−４，４′−ビス［Ｎ−（１−ナフチル）−Ｎ−フェニル−アミノ］ビフェニル；４，４′，４″−トリス［Ｎ−（３−メチルフェニル）−Ｎ−フェニルアミノ］トリフェニルアミン；及びビス−（８−ヒドロキシキノリン）アルミニウムオキシフェニル；からなる群から選択する、請求項１〜７のいずれか１項に記載の方法。
【請求項９】  更に、有機発光装置中へフィルムを組込むことを含む、請求項１〜８のいずれか１項に記載の方法。
【請求項１０】  フィルムの一つが発光層であるか；又は
フィルムの一つがホール輸送層であるか；又は
フィルムの一つが発光層で、フィルムの一つがホール輸送層である；
請求項１〜９のいずれか１項に記載の方法。
【請求項１１】  ホール輸送層が、Ｎ，Ｎ′−ジフェニル−Ｎ，Ｎ′−ビス（３−メチルフェニル）−１，１′−ビスフェニル−４，４′−ジアミンを含むか；又は
発光層が、トリス−（８−キノリン）アルミニウムを含み、そしてホール輸送層が、Ｎ，Ｎ′−ジフェニル−Ｎ，Ｎ′−ビス（３−メチルフェニル）−１，１′−ビスフェニル−４，４′ジアミンを含むか；又は
それらの組合せである、請求項１０に記載の方法。
【請求項１２】  少なくとも一つのフィルムが、単一の有機小分子材料を含むか；又は
少なくとも一つのフィルムが二種類以上の有機小分子材料を含むか；又は
少なくとも一つのフィルムが単一の有機小分子材料を含み、少なくとも一つのフィルムが二種類以上の有機小分子材料を含む；
請求項１〜１１のいずれか１項に記載の方法。
【請求項１３】  更に、基体を冷却することを含む、請求項１〜１２のいずれか１項に記載の方法。
【請求項１４】
第一フィルムが、９〜１１ÅのＲＭＳ表面粗さを有するＡｌｑ３を含むか；又は第一フィルムが６〜８ÅのＲＭＳ表面粗さを有するＴＰＤを含む、請求項１〜１３のいずれか１項に記載の方法。
【請求項１５】  基体が、重合体フィルム材料、ガラス材料、又は半導体材料を含むか；又は
基体がインジウム錫酸化物の層を含むか；又は
それらの組合せ；
を含む、請求項１〜１４のいずれか１項に記載の方法。
【請求項１６】  基体が、インジウム錫酸化物で被覆されたポリエステルである、請求項１５に記載の方法。
【請求項１７】  更に、有機小分子材料を、クヌーセン・セルからの反応室中へ導入するか；又は
有機小分子材料を、バブラーを用いて反応室中へ導入するか；又は
有機小分子材料を、その材料を開口容器中へ入れ、その容器を加熱し、その容器にキャリヤーガスを通すことにより気化するか；又は
それらの組合せ；
を含む、請求項１〜１６のいずれか１項に記載の方法。
【請求項１８】  真空室中に基体を与え；
前記室中で第一インジェクターを通して第一分子ビームを形成し、然も、前記第一分子ビームは、不活性キャリヤーガス及び一種類以上の第一有機前駆物質材料を含み；
前記基体上に前記第一分子ビームを衝突させ、前記基体上に一種類以上の第一有機前駆物質材料を堆積して前記基体上に有機フィルムを形成し；
然も、前記衝突中、前記分子ビーム中の一種類以上の第一有機前駆物質材料の気相分子が、前記室の大きさよりも大きな平均自由行路を有する；
ことを含む有機フィルム製造方法。
【請求項１９】  更に、室中で第二インジェクターを通して第二分子ビームを形成し、然も、前記第二分子ビームは、一種類以上の付加的有機前駆物質材料を含み；そして
基体上に前記第二分子ビームを衝突させ、前記基体上に前記一種類以上の付加的有機前駆物質材料を堆積して前記基体上に有機フィルムを形成する；
ことを含み、然も、前記有機フィルムが、一種類以上の第一有機前駆物質材料及び前記一種類以上の付加的有機前駆物質材料を含む、請求項１８に記載の方法。
【請求項２０】  更に、一種類以上の第一前駆物質の少なくとも一種類と、一種類以上の付加的前駆物質材料の少なくとも一種類とを基体の表面上で反応させ、有機フィルムを形成することを含む、請求項１９に記載の方法。
【請求項２１】  有機フィルムが、非線形光学的フィルムである、請求項２０に記載の方法。
【請求項２２】  非線形光学的フィルムを、４′−ジメチルアミノ−Ｎ−メチル−４−スチルバゾリウムトシレート、４′−ジメチルアミノ−４−メチルスチルバゾリウムメタンスルホネート、４′−ジメチルアミノ−４−メチルスチルバゾリウムトリフルオロメタンスルホネート、４′−メトキシ−４−メチルスチルバゾリウムトシレート、４′−ジメチルアミノ−４−アセチルスチルバゾリウムトシレート、及び４′−ジメチルアミノ−４−メチルスチルバゾリウムトリフルオロアセテートからなる群から選択する、請求項２１に記載の方法。
【請求項２３】  第一有機前駆物質材料又は付加的有機材料の少なくとも一種類を、キャリヤーガスを前記有機前駆物質材料に気泡として通すことにより与えるか；又は
前記付加的有機材料の少なくとも一種類を、前記有機前駆物質材料をクヌーセン・セル中で加熱することにより与えるか；又は
前記第一有機前駆物質材料又は付加的有機材料の少なくとも一種類を、キャリヤーガスを前記有機前駆物質材料に気泡として通すことにより与え、そして前記付加的有機材料の少なくとも一種類を、前記有機前駆物質材料をクヌーセン・セル中で加熱することにより与える；
請求項１８〜２２のいずれか１項に記載の方法。
【請求項２４】  第一有機前駆物質材料の少なくとも一種類を、４′−ジメチルアミノ−４−スチルバゾール、４′−ジメチルアミノ−４−メチルスチルバゾリウムチオフェノキシド、４′−メトキシ−４−メチルスチルバゾール、沃化４′−ジメチルアミノ−４−エチルスチルバゾリウム、及び４′−ジメチルアミノ−４−エチルスチルバゾリウムヒドロキシドからなる群から選択するか；又は
付加的有機前駆物質材料の少なくとも一種類を、メチルトシレート、メチルメタンスルホネート、メチルトリフルオロメタンスルホネート、アセチルトルエンスルホネート、及びメチルトリフルオロアセテートからなる群から選択するか；又は
前記第一有機前駆物質材料の少なくとも一種類を、４′−ジメチルアミノ−４−スチルバゾール、４′−ジメチルアミノ−４−メチルスチルバゾリウムチオフェノキシド、４′−メトキシ−４−メチルスチルバゾール、沃化４′−ジメチルアミノ−４−エチルスチルバゾリウム、及び４′−ジメチルアミノ−４−エチルスチルバゾリウムヒドロキシドからなる群から選択し、そして前記付加的有機前駆物質材料の少なくとも一種類を、メチルトシレート、メチルメタンスルホネート、メチルトリフルオロメタンスルホネート、アセチルトルエンスルホネート、及びメチルトリフルオロアセテートからなる群から選択する；
請求項１８〜２２のいずれか１項に記載の方法。
【請求項２５】  有機フィルムが発光層であるか；又は
前記有機フィルムが電荷移動錯体であるか；又は
それらの組合せである；
請求項１８〜２４のいずれか１項に記載の方法。
【請求項２６】  一種類以上の第一有機前駆物質材料が、テトラチスファルバレン及び７，７，８，８−テトラシアノキノジメタンを含む、請求項１８〜２５のいずれか１項に記載の方法。
【請求項２７】  有機フィルムが、ホスト材料マトリックス中にゲスト材料を入れたものを含む、請求項１８〜２６のいずれか１項に記載の方法。
【請求項２８】  ホスト材料を、トリス（８−キノリン）アルミニウム及びビス−（８−ヒドロキシキノリン）アルミニウムオキシフェニルからなる群から選択するか；又は
ゲスト材料を、４−（ジシアノメチレン）−２−メチル−６−（ｐ−ジメチルアミノスチリル）−４Ｈ−ピラン、５，１０，１５，２０−テトラフェニル−２１Ｈ，２３Ｈ−ホルフィン、ＤＣＭ２、ルブレン、及びクマリンからなる群から選択するか；又は
ホスト材料を、トリス（８−キノリン）アルミニウム及びビス−（８−ヒドロキシキノリン）アルミニウムオキシフェニルからなる群から選択し、そしてゲスト材料を、４−（ジシアノメチレン）−２−メチル−６−（ｐ−ジメチルアミノスチリル）−４Ｈ−ピラン、５，１０，１５，２０−テトラフェニル−２１Ｈ，２３Ｈ−ホルフィン、ＤＣＭ２、ルブレン、及びクマリンからなる群から選択する；
請求項２７に記載の方法。
【請求項２９】  基体が、重合体フィルム材料、ガラス材料、又は半導体材料を含むか；又は
基体が、インジウム錫酸化物の層を含むか；又は
基体が、重合体フィルム材料、ガラス材料、又は半導体材料を含み、そして基体が、インジウム錫酸化物の層を含むか；又は
基体が、インジウム錫酸化物で被覆されたポリエステルを含むか；又は
基体が、インジウム錫酸化物で被覆されたポリエステルを含み、そして前記インジウム錫酸化物がホール輸送層で被覆されている；
請求項１８〜２８のいずれか１項に記載の方法。
【請求項３０】  更に、室中で基体を回転することを含むか；又は
室中に１０−８〜１０−１１トールの基底圧力を与えるか；又は
室中で基体を回転し、そして室中に１０−８〜１０−１１トールの基底圧力を与える；
請求項１８〜２９のいずれか１項に記載の方法。
【請求項３１】  基体上に有機小分子材料を含むフィルムを物理的に蒸着するための装置において、
（ａ）  蒸着室；
（ｂ）  前記蒸着室と流体流通した少なくとも一つの流路で、
（ｉ）  キャリヤーガス源、
（ii）  有機小分子フィルムを形成する有機小分子材料を含む有機小分子材料、及び
（iii)  流量制御器、
を具えた流路；
（ｃ）  蒸着室内に配置した基体ホールダー；
（ｄ）  蒸着室内に１．３３３×１０−３〜１．３３３×１０２ミリバール（０．００１トール〜１００トール）の範囲の圧力を与えるのに適合する、蒸着室と流体流通した真空ポンプ；
を含み、然も、前記蒸着室が、気化した有機前駆物質の分解を起こすことなく、その気化した有機前駆物質が再凝縮しないようにするのに充分な高さの温度に加熱することができる壁を有する、蒸着装置。
【請求項３２】  流量制御器が、圧力調節器を含む、請求項３１に記載の装置。
【請求項３３】  流量制御器が、流量計及び切り替えバルブの少なくとも一方を含む、請求項３１又は３２に記載の装置。
【請求項３４】  蒸着室が、加熱された壁を有するか；又は
蒸着室に、一つ以上の輻射熱源が配備されているか；又は
装置が、更に蒸着室を実質的に取り巻く加熱器を含むか；又は
それらの組合せである；
請求項３１〜３３のいずれか１項に記載の装置。
【請求項３５】  加熱器が、加熱及び冷却を行う多領域温度制御器である、請求項３４に記載の装置。
【請求項３６】  基体ホールダーが、冷却されるか；又は
基体ホールダーが、温度制御ブロックを含むか；又は
基体ホールダーが冷却され、そして温度制御ブロックを含む；
請求項３１〜３５のいずれか１項に記載の装置。
【請求項３７】  有機小分子材料源が、その有機小分子材料を保持する開口容器であるか；又は
開口容器が加熱されているか；又は
有機小分子材料源が、その有機小分子材料を保持する加熱された開口容器である；
請求項３１〜３６のいずれか１項に記載の装置。
【請求項３８】  装置が、二つ以上の流路を含む、請求項３１〜３７のいずれか１項に記載の装置。
【請求項３９】  更に、
蒸着室を加熱する手段；
有機小分子のフィルムを形成する有機小分子材料の蒸気を蒸着室へ導入する手段；
蒸着室内の基体を冷却する手段；
反応室内の圧力を、１．３３３×１０−３〜１．３３３×１０２ミリバール（０．００１トール〜１００トール）の範囲の圧力に維持する手段；及び
前記蒸着室の壁を、前記有機小分子材料を分解することなく、前記有機小分子材料の蒸気が再凝縮しないようにするのに充分な高さの温度に加熱する手段；
を含む、請求項３１〜３８のいずれか１項に記載の装置。